(57)【要約】      （修正有）【課題】太陽電発電アレイに用いる周辺機器の高さを抑え、太陽電池アレイの設置方法にかかわらず、太陽電池アレイ付近に周辺機器が配置された太陽光発電システムを実現する。【解決手段】太陽電池モジュール付近に接続箱を配置する。その際に接続箱の影が太陽電池モジュールにかかることによる発電量の低下をもたらすことのないように、接続箱の端子台に角度を設け、端子台部分で必要となる高さを低減させた。さらに、接続箱内部の配線に金属板を用いることで配線の引き回しに必要な空間を低減した。加えて、端子台の接続箇所の金属配線を櫛状にすることにより端子台との接続を容易とし空間を減らした。また、影の影響がなく、太陽電池モジュールの設置面積を必要以上に減らすことのないように設置可能なように太陽電池モジュールと接続箱、メンテナンス通路との位置関係を定めた。【選択図】図４
2012124418.tif 000002
【特許請求の範囲】
【請求項１】
太陽電池モジュールと、該太陽電池モジュールを複数直列接続したストリングと、該ストリングが複数接続される接続箱とを有する太陽光発電システムにおいて、
前記ストリングと接続するための前記接続箱の接続端子が取付角度を有することを特徴とする太陽光発電システム。
【請求項２】
太陽電池モジュールと、該太陽電池モジュールを複数直列接続したストリングと、該ストリングが複数接続される接続箱とを有する太陽光発電システムにおいて、
前記接続箱は、前記複数のストリングの電力を並列接続する金属板の配線を有することを特徴とする太陽光発電システム。
【請求項３】
太陽電池モジュールと、該太陽電池モジュールを複数直列接続したストリングと、該ストリングが複数接続される接続箱とを有する太陽光発電システムにおいて、
前記接続箱は、前記複数のストリングの電力を並列接続する金属板の配線を有し、該金属板の一部が櫛状に形成され、櫛状の各端部と前記ストリングからの配線とが電気的に接続されることを特徴とする請求項２記載の太陽光発電システム。
【請求項４】
太陽電池モジュールと、該太陽電池モジュールを複数直列接続したストリングと、該ストリングが複数接続される接続箱とを有する太陽光発電システムにおいて、
前記太陽電池モジュールは屋根面に設置され、
前記接続箱の下部に、前記ストリングからの配線を、前記接続箱下部の前記屋根面に接することがないように保持するための配線保持機構を有することを特徴とする請求項１から３記載の太陽光発電システム。
【請求項５】
太陽電池モジュールと、該太陽電池モジュールを複数直列接続したストリングと、該ストリングが複数接続される接続箱とを有する太陽光発電システムにおいて、
前記太陽電池モジュールは折半屋根面に設置され、
前記接続箱の幅は前記折板屋根の山部の幅よりも狭く、前記接続箱の底面が前記屋根部の山部よりも低い位置に固定されていることを特徴とする請求項１から４記載の太陽光発電システム。
【請求項６】
太陽電池モジュールを複数直列接続したストリングが、複数並列接続される接続箱であって、
前記ストリングと接続するための接続端子が取付角度を有することを特徴とする接続箱。
【請求項７】
太陽電池モジュールを複数直列接続したストリングが、複数並列接続される接続箱であって、
前記複数のストリングの電力を並列接続する金属板の配線を有することを特徴とする接続箱。
【請求項８】
太陽電池モジュールと、該太陽電池モジュールを複数直列接続したストリングと、該ストリングが複数接続される接続箱とを有する太陽光発電システムにおいて、
設置された前記太陽電池モジュールの下端を基準として、前記接続箱の高さをＨ、前記太陽光発電システムの設置場所の冬至の９時もしくは１５時の太陽高度をＡ、方位角をＢとしたときに、
前記太陽電池モジュールが、前記接続箱の北側にＨ×(１／ｔａｎＡ)×ｃｏｓＢの距離をもって設置されたことを特徴とする請求項１から５の太陽光発電システム。
【請求項９】
太陽電池モジュールと、該太陽電池モジュールを複数直列接続したストリングと、該ストリングが複数接続される接続箱とを有する太陽光発電システムにおいて、
設置された前記太陽電池モジュールの下端を基準として、前記接続箱の高さをＨ、前記太陽光発電システムの設置場所の冬至の９時もしくは１５時の太陽高度をＡ、方位角をＢとしたときに、
前記太陽電池モジュールが、前記接続箱の東もしくは西側にＨ×(１／ｔａｎＡ)×ｓｉｎＢの距離をもって設置されたことを特徴とする請求項１から５の太陽光発電システム。
【請求項１０】
太陽電池モジュールと、該太陽電池モジュールを複数直列接続したストリングと、該ストリングが複数接続される接続箱とを有する太陽光発電システムにおいて、
前記ストリングが複数並列配置されたアレイを複数有し、該アレイの間には通路が設けられ、
設置された前記太陽電池モジュールの下端を基準として、前記接続箱の高さをＨ、前記太陽光発電システムの設置場所の冬至の９時もしくは１５時の太陽高度をＡ、方位角をＢとしたときに、
前記通路の南北方向の幅が、Ｈ×(１／ｔａｎＡ)×ｃｏｓＢ  以上であることを特徴とする請求項１から５記載の太陽光発電システム。
【請求項１１】
太陽電池モジュールと、該太陽電池モジュールを複数直列接続したストリングと、該ストリングが複数接続される接続箱とを有する太陽光発電システムにおいて、
前記ストリングが複数並列配置されたアレイを複数有し、該アレイの間には通路が設けられ、
設置された前記太陽電池モジュールの下端を基準として、前記接続箱の高さをＨ、前記太陽光発電システムの設置場所の冬至の９時もしくは１５時の太陽高度をＡ、方位角をＢとしたときに、
前記通路の東西方向の幅が、Ｈ×(１／ｔａｎＡ)×ｓｉｎＢ  以上であることを特徴とする請求項１から５記載の太陽光発電システム。
【発明の詳細な説明】
【技術分野】
【０００１】
本発明は、太陽光発電システムに関する。
【背景技術】
【０００２】
近年、太陽光発電が二酸化炭素を発生させない環境にやさしい発電として注目を受けている。それに伴い、太陽電池モジュールの価格下落が進み、家庭用の電力補助手段から、大規模な産業用の発電にも用途が広がるようになってきた。
【０００３】
太陽光発電システムではその規模にかかわらず、太陽電池モジュールを複数接続したストリングと複数のストリングの電力を結合する接続箱、複数の接続箱からの電力を結合する集電箱、集電箱からの電力を交流変換する電力変換装置から構成されている。
【０００４】
従来の太陽電池発電システムはその規模が小さく、家庭などに設置されることが多く設置可能な屋根面積も限られていたため、太陽電池モジュールからの電力を集める電力変換装置などは、建屋の側壁や内部に設置されていた（特開平１０−２０１０８６、特開２００２−３３５０２）。
【０００５】
また、産業用の太陽電池発電システムにおいて用いられる接続箱は、複数のストリングと接続された複数の配線を接続するための接続端子、それぞれの端子からの入力の開閉を行うスイッチ、これらを並列に接続するための内部配線、安全装置であるブレーカー、電力変換装置もしくは集電箱へ接続するための配線の接続端子等を有するためサイズが大きい。
【０００６】
太陽電池モジュールを南向きに傾斜させて設置する比較的大きな架台に設置する場合、太陽電池モジュールを複数まとめた単位である太陽電池アレイの設置の最高到達点が比較的高い位置となるため、太陽電池アレイの架台北側下部に接続箱を設置することがある。一方、架台が比較的小さい場合や傾斜角度が小さい場合には、太陽電池モジュールにこれら機器の影の影響が及ぶため、太陽電池モジュールから十分に離れた位置に配置されていた。
【先行技術文献】
【特許文献】
【０００７】
【特許文献１】特開平１０−２０１０８６
【特許文献２】特開２００２−３３５０２
【発明の概要】
【発明が解決しようとする課題】
【０００８】
しかしながら、太陽電池アレイの設置場所と接続箱などの周辺機器の設置場所に距離があると配線の効率が悪くなる。そこで、これら周辺機器を太陽電池アレイ付近に設置しようとして、周辺機器の最高到達点が太陽電池アレイの最高到達点よりも高くなる場合には、これらの周辺機器と、その影の影響が及ぶため、太陽電池システムの発電効率を低下させてしまう。
【０００９】
そこで、本発明は上記の問題に鑑みてなされたものであり、その目的は、太陽電発電アレイに用いる周辺機器の高さを抑え、太陽電池アレイの設置方法にかかわらず、太陽電池アレイ付近に周辺機器が配置された太陽光発電システムを実現することである。
【課題を解決するための手段】
【００１０】
本発明に係る太陽光発電システムは、太陽電池モジュールと、該太陽電池モジュールを複数直列接続したストリングと、該ストリングが複数接続される接続箱とを有する太陽光発電システムにおいて、前記ストリングと接続するための前記接続箱の接続端子が取付角度を有したことを特徴としている。
【００１１】
また、本発明に係る太陽光発電システムは、太陽電池モジュールと、該太陽電池モジュールを複数直列接続したストリングと、該ストリングが複数接続される接続箱とを有する太陽光発電システムにおいて、前記接続箱は、前記複数のストリングの電力を並列接続する金属板の配線を有したことを特徴としている。
【００１２】
また、本発明に係る太陽光発電システムは、太陽電池モジュールと、該太陽電池モジュールを複数直列接続したストリングと、該ストリングが複数接続される接続箱とを有する太陽光発電システムにおいて、前記接続箱は、前記複数のストリングの電力を並列接続する金属板の配線を有し、該金属板の一部が櫛状に形成され、櫛状の各端部と前記ストリングからの配線とが電気的に接続されることを特徴としている。
【００１３】
また、本発明に係る太陽光発電システムは、屋根面に設置される太陽電池モジュールと、該太陽電池モジュールを複数直列接続したストリングと、該ストリングが複数接続される接続箱とを有する太陽光発電システムにおいて、前記接続箱の下部に、前記ストリングからの配線が前記接続箱下部の前記屋根面に接することがないように保持するための配線保持機構を有したことを特徴としている。
【００１４】
また、本発明に係る太陽光発電システムは、太陽電池モジュールと、該太陽電池モジュールを複数直列接続したストリングと、該ストリングが複数接続される接続箱とを有する太陽光発電システムにおいて、前記接続箱の幅は前記太陽光発電システムが設置される折板屋根の山部の幅よりも狭く、接続箱の底面が前記屋根部の山部よりも低い位置に固定されていることを特徴としている。
【００１５】
また、本発明に係る接続箱は、太陽電池モジュールを複数直列接続したストリングが、複数並列接続される接続箱であって、前記ストリングと接続するための接続端子が取付角度を有することを特徴としている。
【００１６】
また、本発明に係る接続箱は、太陽電池モジュールを複数直列接続したストリングが、複数並列接続される接続箱であって、前記複数のストリングの電力を並列接続する金属板の配線を有することを特徴としている。
【００１７】
また、本発明に係る太陽光発電システムは、太陽電池モジュールと、該太陽電池モジュールを複数直列接続したストリングと、該ストリングが複数接続される接続箱とを有する太陽光発電システムにおいて、設置された前記太陽電池モジュールの下端を基準として、前記接続箱の高さをＨ、前記太陽光発電システムの設置場所の冬至の９時もしくは１５時の太陽高度をＡ、方位角をＢとしたときに、前記太陽電池モジュールが、前記接続箱の北側にＨ× (１／ｔａｎＡ)×ｃｏｓＢの距離をもって設置された上記の太陽光発電システムであることを特徴としている。
【００１８】
また、本発明に係る太陽光発電システムは、太陽電池モジュールと、該太陽電池モジュールを複数直列接続したストリングと、該ストリングが複数接続される接続箱とを有する太陽光発電システムにおいて、設置された前記太陽電池モジュールの下端を基準として、前記接続箱の高さをＨ、前記太陽光発電システムの設置場所の冬至の９時もしくは１５時の太陽高度をＡ、方位角をＢとしたときに、前記太陽電池モジュールが、前記接続箱の東もしくは西側にＨ× (１／ｔａｎＡ)×ｓｉｎＢの距離をもって設置された上記の太陽光発電システムであることを特徴としている。
【００１９】
また、本発明に係る太陽光発電システムは、太陽電池モジュールと、該太陽電池モジュールを複数直列接続したストリングと、該ストリングが複数接続される接続箱とを有する太陽光発電システムにおいて、前記ストリングが複数並列配置されたアレイを複数有し、該アレイの間には通路が設けられ、設置された前記太陽電池モジュールの下端を基準として、前記接続箱の高さをＨ、前記太陽光発電システムの設置場所の冬至の９時もしくは１５時の太陽高度をＡ、方位角をＢとしたときに、前記通路の南北方向の幅が、Ｈ× (１／ｔａｎＡ)×ｃｏｓＢ  以上である上記の太陽光発電システムであることを特徴としている。
【００２０】
また、本発明に係る太陽光発電システムは、太陽電池モジュールと、該太陽電池モジュールを複数直列接続したストリングと、該ストリングが複数接続される接続箱とを有する太陽光発電システムにおいて、前記ストリングが複数並列配置されたアレイを複数有し、該アレイの間には通路が設けられ、設置された前記太陽電池モジュールの下端を基準として、前記接続箱の高さをＨ、前記太陽光発電システムの設置場所の冬至の９時もしくは１５時の太陽高度をＡ、方位角をＢとしたときに、前記通路の東西方向の幅が、Ｈ×(１／ｔａｎＡ)×ｓｉｎＢ  以上である上記の太陽光発電システムであることを特徴としている。
【発明の効果】
【００２１】
本発明に係る太陽光発電システムは、太陽電池ストリングからの電力を並列接続する接続箱の高さを低くすることが出来るため、太陽電池モジュール付近に設置可能となり、配線効率を高めることが出来、ひいては太陽光発電システム全体の効率を高めるものである。
【図面の簡単な説明】
【００２２】
【図１】本発明の太陽光発電システムの概略を示す斜視図である。
【図２】本発明の太陽光発電システムで用いられる接続箱の外観の斜視図ある。
【図３】従来の太陽光発電システムで用いられる接続箱の端子台を示す斜視図である。
【図４】本発明の太陽光発電システムに用いられる接続箱の端子台および金属配線を示す斜視図である。
【図５】本発明の太陽光発電システムで用いられる太陽電池アレイと接続箱の高さ関係を示すものである。
【図６】本発明の太陽光発電システムのメンテナンス通路と太陽電池アレイと接続箱の配置関係を示すものである。
【発明を実施するための形態】
【００２３】
〔実施形態１〕
第１の実施形態に係る太陽光発電システムについて、図面を参照し、以下のとおり説明する。図１は、本発明の太陽光発電システムの概略を示すものである。建物１０１の折板屋根１０２上に太陽電池モジュールが複数直列に接続された太陽電池ストリングと、このストリングを複数組み合わせて配置された複数の太陽電池アレイ１０３、太陽電池ストリングと接続箱を接続するケーブル１０４を用いて電気的に接続された接続箱１０５、接続箱と集電箱（図示しない）を電気的に接続する集電箱への接続ケーブル１０６が配置されている。太陽電池アレイ１０３間には、メンテナンス時に作業員が通るための通路１０７が確保されている。本実施例では太陽電池アレイ１０３は折板屋根１０２と平行に設置されている。
【００２４】
図２は、接続箱１０５周辺を拡大したものである。折板屋根１０２の屋根材を構成する金属板の端部を折り曲げ、引っ掛け合わせて継いだハゼ部に、ハゼ使い金具１１０を固定し、このハゼつかみ金具１１０間に固定用バー１１１を掛け渡す。さらにこの固定用バー１１１に接続箱１０５を設置する。接続箱１０５は折板屋根１０２からの高さを極力抑えるために、接続箱１０５の底部は折板屋根１０２の谷部から空間を持ちつつ谷部に接することのないように底部が収まるようになっている。接続箱１０５の底部が折板屋根１０２の谷部との間に空間をもつため、折板屋根１０２の谷部に流れる雨水が接続箱に直接触れることがない。また、接続箱１０５の底部には、太陽電池ストリングからの配線１０４および集電箱への配線１０６を内部へ取り込むための孔があいている。これら配線を内部に取り込むための孔が側面にある場合には、配線（１０４、１０６）や接続箱１０３を伝わる雨水が内部に侵入しないようにシーリング材で封止する必要が生じる。
【００２５】
さらに、接続箱底部には配線ガイド１１２が設けられている。配線ガイド１１２は、太陽電池ストリングと接続箱を接続する配線１０４と接続箱と集電箱を接続するケーブル１０６をその上面に搭載可能とし、前記配線が折板屋根１０２に接することを防止する。もし配線が折板屋根１０２に接すると屋根面に積もったゴミなどが配線（１０４、１０６）に引っかかり雨水の流れをせき止める可能性があり、このような状態になると接続箱底面の孔から水が入ることになる。このように配線ガイド１１２は雨水対策として効果を発揮する。
【００２６】
〔実施形態２〕
第２の実施形態に係る太陽光発電システムについて、図面を参照し説明すれば以下のとおりである。図３は、従来の接続箱の内部、特に太陽電池ストリングからの配線１０４が接続される端子台周辺を示した斜視図である。接続箱内部には端子台２０１が接続箱の側面２０２に取り付けられている。このため、端子台２０１は接続箱底部２０３と垂直に取り付けられている。接続箱の底部２０３には太陽電池ストリングからの配線１０４を取り込むための孔２０４があいており、この孔２０４から配線１０４は内部に取り込まれる。
【００２７】
太陽電池ストリングからの配線１０４は各ストリングからの高電位配線１０４ａと低電位配線１０４ｂが対となり並べられ接続される。各ストリングからの高電位配線１０４ａと低電位配線１０４ｂの先端にはそれぞれ接続端子２０５が設けられ、接続端子２０５がネジ２０７により端子台２０１に接続される。また端子台２０１には内部への高電位配線２０６ａおよび低電位配線２０６ｂが接続されている。なお、端子台２０１と内部への高電位配線２０６ａおよび低電位配線２０６ｂの間には、メンテナンス時に太陽電池モジュールと接続箱１０５の内部とを切り離すためのスイッチが設けられているが図３では図示していない。
【００２８】
一方、図４は本発明の太陽光発電システムに用いられる接続箱１０５の内部、特に太陽電池ストリングからの配線１０４が接続される端子台周辺を示した斜視図である。接続箱１０５の内部には底面２０３に対して鉛直方向に対して傾斜した取付角度を有する端子台３０１が設けられている。接続箱１０５の底部２０３には太陽電池ストリングからの配線１０４を取り込むための孔２０４があいており、この孔２０４から配線１０４は内部に取り込まれる。内部に取り込まれた太陽電池ストリングからの配線１０４は各ストリングからの高電位配線１０４ａと低電位配線１０４ｂが対となり並べられる。各ストリングからの高電位配線１０４ａと低電位配線１０４ｂの先端にはそれぞれ接続端子２０５が設けられ、接続端子２０５がネジ２０６により端子台３０１に接続される。端子台３０１は鉛直方向に対して０度から９０度の範囲で傾斜角度を有している。傾斜角度が０度ないしそれに近い角度であれば従来のものと比較して接続箱１０５の高さを低減する効果は小さい。傾斜角度が９０度の場合は、端子台３０１の厚みが端子台３０１の鉛直方向対する占有となるため、高さを最も小さくできる。しかしながら、底面２０３にあいた孔２０４に太陽電池ストリングからの配線１０４を接続するために配線１０４を直角に曲げる手間が必要となる。もし接続箱１０５の壁面に配線１０４を取り込むための孔２０４を開ける場合は、雨水の侵入を防止する手段が必要となり防水対策が大きな手間となる。さらに配線１０４を端子台３０１にネジ止めする場合には鉛直方向からネジ止め作業をする事となり内部構造に工具が接触し作業効率が低下する。０度より大きく、９０度より小さい範囲の適当な傾斜角度を有するように端子台３０１を設計すれば、鉛直方向の占有を少なくし、且つ接続端子２０５を端子台３０１に取り付ける際の手間が余分に必要となることもない。実際には、端子台３０１の傾斜角度は底面２０３のサイズや接続箱内部の配線や構造などにより、鉛直方向の占有と配線の接続作業の効率を考慮して設計することとなる。本実施形態では、折板屋根の谷部に一部収まっている接続箱に対して作業者が斜め上方からしゃがんだ状態で作業する為、端子台の傾斜角度は概ね３０度以上６０度以下であれば作業性がよい。
【００２９】
また、端子台３０１には内部への高電位配線金属板３０６ａおよび低電位配線金属板３０６ｂが接続されている。なお、端子台３０１と内部への高電位配線２０６ａおよび低電位配線２０６ｂの間には、メンテナンス時に太陽電池モジュールと接続箱１０５の内部とを切り離すためのスイッチが設けられているが図４では図示していない。高電位配線金属板３０６ａおよび低電位配線金属板３０６ｂは、金属板であるため折り曲げなどの加工が容易である。接続箱１０５内部では内部配線の引き回しが必要になるが、この際に内部の配線を金属板で行うことにより、ケーブルで行うよりも曲げ半径を小さく出来き、省スペース化が可能となる。
【００３０】
さらに、端子台３０１との接続部を櫛状としている。端子台３０１は高電位の接続端子２０５と低電位の接続端子２０５が交互に並んでいる。これは複数のストリングからの配線１０４を、後々のメンテナンスのしやすさを考慮して高電位配線１０４ａと低電位配線１０４ｂが対となるように接続するためである。本実施形態では接続部が櫛状であるため、交互に並んだ接続端子２０５を容易に接続可能とし、さらなる省スペース化を実現している。
【００３１】
逆流防止ダイオードを太陽電池ストリング毎に接続する場合には、接続端子２０５と高電位配線金属板３０６ａもしくは低電位配線金属板３０６ｂの櫛状部分の間に逆流防止ダイオードを挿入してもよい。この場合、逆流防止ダイオードは接続端子２０５と配線金属板３０６に接続されるため、ケーブル間に接続されるよりも安定して固定される。
【００３２】
〔実施形態３〕
第３の実施形態に係る太陽光発電システムについて、図面を参照し説明すれば以下のとおりである。図５は本発明の太陽光発電システムに用いられる接続箱１０５と複数の太陽電池モジュールをまとめた太陽電池アレイ１０３との、高さと設置距離との関係を表す図である。屋根面１０２に設置された本実施形態の太陽光発電システムでは、太陽電池アレイ１０３の高さよりも接続箱１０５の高さの方が高くなっている。したがって、太陽電池アレイ１０３と接続箱１０５が隣接して設置されると太陽電池アレイ１０３に接続箱１０５の影がかかる。大規模な太陽光発電システムでは、太陽電池アレイは風圧を考慮して屋根１０２などの設置面に平行もしくは、太陽光をより効率よく受光出来るようにするために南向きに角度を設けて設置される。接続箱１０５と太陽電池アレイ１０３との距離と、太陽電池アレイ１０３の受光面下端からの接続箱１０５の高さの関係を適切に設計することにより太陽光発電システムを構成する機器の影による発電量の低下や、影による影響を防ぐための設置面積が余分に減少することなく効率のよいシステムの構築が可能となる。
【００３３】
一般に太陽電池モジュールの設置に関し、冬至の９時から１５時の時間帯に影にならなければ年間発電量に影響はないと言われている。ここで、高さＬ１の棒に出来る影の長さをＬ２、太陽高度（仰角）をＡ、南北軸からの太陽の方位角Ｂをとすると、影の長さの倍率Ｒ、南北方向に出来る影の倍率Ｒｙ、東西方向に出来る影の倍率Ｒｘはそれぞれ、
Ｒ＝Ｌ２／Ｌ１＝（１／ｔａｎＡ）
Ｒｙ＝Ｌ２ｙ／Ｌ１ｙ＝（１／ｔａｎＡ）×ｃｏｓＢ
Ｒｘ＝Ｌ２ｘ／Ｌ１ｘ＝（１／ｔａｎＡ）×ｓｉｎＢ
となる。このため、設置場所の冬至の太陽の９時または１５時の高度（仰角）をＡ、南北軸からの方位角をＢとすると、接続箱１０５の最高到達点が太陽電池アレイの最高到達点よりも高い場合には、１０３の最高到達点接続箱１０５の太陽電池アレイ１０３の受光面下端からの高さをＨとしたときに、接続箱１０５に最も近い位置にある太陽電池アレイ１０３との距離を南北方向に  
Ｈ ×（１／ｔａｎＡ）×ｃｏｓＢ
以上、東西方向に
Ｈ×（１／ｔａｎＡ）×ｓｉｎＢ
以上空けると、接続箱１０５の影が太陽電池アレイ１０３の年間発電量に影響を及ぼすことがないとみなすことが出来る。
【００３４】
なお、本実施形態では太陽電池アレイ１０３と接続箱１０５との距離関係として記述したが、太陽電池アレイ１０３は太陽電池モジュールの集合体であるため、上記距離については太陽電池モジュールと接続箱１０５の距離としても同等である。
【００３５】
〔実施形態４〕
第４の実施形態に係る太陽光発電システムについて、図面を参照し説明すれば以下のとおりである。図６に示す太陽光発電システムでは、接続箱１０５が太陽電池アレイ１０３の角部に配置されている。住宅用の太陽光発電システムのように限られた屋根面にできるだけ多くの太陽電池モジュールを配置する場合には、設置面に隙間なく太陽電池アレイを構成することが望まれる。しかしながら本実施形態は、大規模な太陽光発電システムであり、用いられる太陽電池モジュール数が非常に多くなる。このため、設置面に一面モジュールを敷き詰めて太陽電池アレイ１０３を構成するのではなく、メンテナンスの際に太陽電池アレイ間に人が通ることが可能となるようなメンテナンス用通路１０７を設けて複数の太陽電池アレイ１０３を配置するとシステムの運用上都合がよい。このメンテナンス用通路１０７には太陽電池モジュールは存在していないため、太陽電池アレイ１０３周辺部に接続箱１０５を設置し、その影がメンテナンス通路１０７にかかっても発電に影響を及ぼさない。
【００３６】
このメンテナンス用通路１０７の南北方向の幅をＷｙ、東西方向の幅をＷｘとすると、接続箱１０５の太陽電池アレイ１０３の受光面下端からの高さＨとした場合に、
Ｗｙ≧Ｈ×（１／ｔａｎＡ）×ｃｏｓＢ、
Ｗｘ≧Ｈ×（１／ｔａｎＡ）×ｓｉｎＢ
という関係式を満たせば接続箱１０５の影が太陽光発電システムの年間発電量に影響を及ぼさない設計となる。たとえば、北緯がおおむね３５度の地域であれば、冬至の９時もしくは１５時の太陽高度は１８度、方位角は４３度となるため。
（１／ｔａｎ１８°）×ｃｏｓ４３°＝２．３
（１／ｔａｎ１８°）×ｓｉｎ４３°＝２．１
となる。ここで接続箱１０５の太陽電池アレイ１０３面下端からの高さを３０センチとすれば、南北方向に６９センチ、東西方向に６２センチの通路幅を確保すればモジュールに影がかかることなくシステムを構築できる。これ以上の通路幅を設けても影の影響はないが、通路が占める面積が大きくなり、太陽電池モジュールの設置出来る設置面積が減少することになり、システムの発電量が低下することになる。即ち上記の式を用いて太陽光発電システムを構築することにより太陽電池アレイ１０３や周辺機器の配置スペースを考慮して最も効率のよい太陽光発電システムを構築することが出来る。また、実施の形態の接続箱１０５を用いることでメンテナンス用通路１０７の幅を小さくすることが出来、太陽光発電システムの効率を向上させることが出来る。
【００３７】
本実施形態では折板屋根の場合について記載しているが、折板屋根に限らず陸屋根でもよく、さらに陸上設置の太陽光発電システムに用いてもよい。
【産業上の利用可能性】
【００３８】
本発明に係る太陽光発電システムは、太陽光発電システム全般に広く適用することが出来る。
【符号の説明】
【００３９】
１０１  建物
１０２  折板屋根
１０３  太陽電池アレイ
１０４  太陽電池ストリングと接続箱の接続ケーブル
１０５  接続箱
１０６  接続箱と集電箱の接続ケーブル
１０７  メンテナンス用通路
１１０  ハゼつかみ金具
１１１  固定用バー
１１２  配線ガイド
２０１  従来の端子台
２０２  接続箱背面
２０３  接続箱底面
２０４  接続箱底面の配線用孔
２０５  接続端子
２０６ａ  内部への高電位配線
２０６ｂ  内部への低電位配線
２０７  ネジ
３０１  本発明の太陽光発電システムに用いられる接続箱の端子台
３０６ａ  高電位配線金属板
３０６ｂ  低電位配線金属板
【図１】
2012124418.tif 000003
【図２】
2012124418.tif 000004
【図３】
2012124418.tif 000005
【図４】
2012124418.tif 000006
【図５】
2012124418.tif 000007
【図６】
2012124418.tif 000008